Podtech/llm-jp-corpus-v4-ja_patent huggingface dataset:
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
バリアント組み換えアデノ随伴ウイルス（ｒＡＡＶ）キャプシドタンパク質であって、以下のアミノ酸置換の組み合わせ：
（ａ）ＡＡＶ２キャプシドタンパク質のアミノ酸２６３、２６４、４９２、４９３、４９４、４９９および５００に対応する位置における、夫々、アスパラギン、アラニン、アスパラギン酸、グリシン、グルタミン酸、アスパラギン酸およびフェニルアラニンでの置換、ならびに、ＡＡＶ２キャプシドタンパク質のアミノ酸５４６〜５５６に対応する位置におけるＳＡＡＧＡＤＸＡＸＤＳ（配列番号５）での置換、
（ｂ）ＡＡＶ２キャプシドタンパク質のアミノ酸２６３、４９０、４９２、４９９、５００および５３０に対応する位置における、夫々、アラニン、スレオニン、プロリン、アスパラギン酸、フェニルアラニン、およびアスパラギン酸での置換、
（ｃ）ＡＡＶ２キャプシドタンパク質のアミノ酸２６３、２６４、４４４、４５１、４５４、４５５、４５９、５２７、５３０および５３１に対応する位置における、夫々、アスパラギン、アラニン、フェニルアラニン、アラニン、アスパラギン、バリン、スレオニン、アルギニン、アスパラギン酸、およびアスパラギン酸での置換、
（ｄ）ＡＡＶ２キャプシドタンパク質のアミノ酸４９２、４９３、４９４、４９９および５００に対応する位置における、夫々、アスパラギン酸、グリシン、グルタミン酸、アスパラギン酸、およびフェニルアラニンでの置換、ならびに、ＡＡＶ２キャプシドタンパク質のアミノ酸５４５〜５５６に対応する位置におけるＥＤＡＴＥＮＸＩＸＸＤＲ（配列番号４）での置換、
（ｅ）ＡＡＶ２キャプシドタンパク質のアミノ酸２６３、４９１、４９２、４９４、５００および５０３に対応する位置における、夫々、アラニン、グルタミン、アスパラギン酸、グルタミン酸、フェニルアラニン、およびプロリンでの置換、ならびに、
（ｆ）ＡＡＶ２キャプシドタンパク質のアミノ酸４４４、４５１〜４６１、４９０、４９２、４９９、５００および５３０に対応する位置における、夫々、フェニルアラニン、ＧＡＸＮＭＸＴＸＡＸＲ（配列番号３１）、スレオニン、プロリン、アスパラギン酸、フェニルアラニン、およびアスパラギン酸での置換、
のうちのいずれか１つを含み、各Ｘは、野生型ＡＡＶ２キャプシド配列のアミノ酸に対応する、前記ｒＡＡＶキャプシドタンパク質。
【請求項２】
（ａ）に記載のアミノ酸置換の組み合わせを含み、血清型２のものであり、配列番号１２で表されるアミノ酸配列を含む、請求項１に記載のｒＡＡＶキャプシドタンパク質。
【請求項３】
ＡＡＶ２キャプシドタンパク質のアミノ酸４４４および７３０に対応する位置においてフェニルアラニンをさらに含み、任意に、ＡＡＶ２キャプシドタンパク質のアミノ酸２７２に対応する位置においてフェニルアラニンをさらに含み、任意に、ＡＡＶ２キャプシドタンパク質のアミノ酸４９１に対応する位置においてバリンをさらに含む、請求項２に記載のｒＡＡＶキャプシドタンパク質。
【請求項４】
（ｂ）に記載のアミノ酸置換の組み合わせを含み、血清型２のものであり、配列番号２４で表されるアミノ酸配列を含む、請求項１に記載のｒＡＡＶキャプシドタンパク質。
【請求項５】
（ｃ）に記載のアミノ酸置換の組み合わせを含み、血清型２のものであり、配列番号２５で表されるアミノ酸配列を含む、請求項１に記載のｒＡＡＶキャプシドタンパク質。
【請求項６】
（ｄ）に記載のアミノ酸置換の組み合わせを含み、血清型２のものであり、配列番号１１で表されるアミノ酸配列を含む、請求項１に記載のｒＡＡＶキャプシドタンパク質。
【請求項７】
（ｅ）に記載のアミノ酸置換の組み合わせを含み、血清型２のものであり、配列番号２７で表されるアミノ酸配列を含む、請求項１に記載のｒＡＡＶキャプシドタンパク質。
【請求項８】
（ｆ）に記載のアミノ酸置換の組み合わせを含み、血清型２のものであり、バリアントＰ３−ＰＲ３のアミノ酸配列に対応するアミノ酸配列を含む、請求項１に記載のｒＡＡＶキャプシドタンパク質。
【請求項９】
請求項１〜８のいずれか１項に記載のｒＡＡＶキャプシドタンパク質を含み、任意に、逆位末端反復配列（ＩＴＲ）および目的の遺伝子をさらに含む、組み換えＡＡＶ（ｒＡＡＶ）粒子。
【請求項１０】
任意に、薬学的に受入可能なキャリアをさらに含む、請求項１〜９のいずれか一項に記載の組み換えＡＡＶ粒子を複数含む組成物。
【請求項１１】
医薬としての使用のための、請求項９に記載のｒＡＡＶ粒子または請求項１０に記載の組成物。
【請求項１２】
対象の１以上の網膜細胞への投与のための、任意に、硝子体内注射のための、請求項９に記載のｒＡＡＶ粒子または請求項１０に記載の組成物。
【請求項１３】
網膜下注射のための、請求項１２に記載のｒＡＡＶ粒子または組成物。
【請求項１４】
１以上の網膜細胞が、視細胞、線維柱帯網、網膜神経節細胞、双極細胞、ミュラー細胞、アマクリン細胞、星状膠細胞、水平細胞および網膜色素上皮細胞からなる群より選択される、請求項１２または１３に記載のｒＡＡＶ粒子または組成物。
【請求項１５】
目的の遺伝子が、治療用タンパク質をコードし、任意に、治療用タンパク質が、抗体または抗体フラグメント、ペプチボディ、増殖因子、ホルモン、膜タンパク質、サイトカイン、ケモカイン、細胞表面受容体またはイオンチャネルに対して作用する活性化性または阻害性のペプチド、細胞内プロセスを標的とする細胞浸透性ペプチド、酵素、遺伝子編集のために用いられるヌクレアーゼまたは他のタンパク質である、請求項１１〜１４のいずれか一項に記載のｒＡＡＶ粒子または組成物。
【請求項１６】
粒子がｒＡＡＶ２粒子である、請求項９〜１５のいずれか一項に記載のバリアント組み換えＡＡＶ粒子。
【請求項１７】
核酸が、一本鎖または二本鎖である、請求項９〜１６のいずれか一項に記載のバリアント組み換えＡＡＶ粒子。
【請求項１８】
ある型の網膜細胞に目的の遺伝子でインビトロまたはエキソビボで形質導入する方法であって、網膜細胞に、請求項１０〜１５のいずれか一項に記載の組成物を提供することを含む、前記方法。
【請求項１９】
請求項１〜８のいずれか一項に記載のアミノ酸置換の組み合わせを含む、血清型２以外の血清型のバリアントｒＡＡＶキャプシドタンパク質であって、ここで、置換が、ＡＡＶ２の可変領域に対して相同である、血清型２以外の血清型のキャプシドタンパク質の可変領域中に位置し、任意に、血清型１、３、３Ｂ、４、５、６、７、８、９、１０、１１、１２、または１３のものである、前記血清型２以外の血清型のバリアントｒＡＡＶキャプシドタンパク質。
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
Anc80に対して少なくとも約85％の配列同一性を有するカプシドをコードし、かつ
Espinプロモーター、PCDH15プロモーター、PTPRQプロモーター、およびTMHS（LHFPL5）プロモーターからなる群より選択される、ハーモニンa、ハーモニンb、またはハーモニンcポリペプチドの発現を誘導するプロモーターを含む、
内耳有毛細胞ターゲッティング合成アデノ随伴ウイルス（AAV）ベクター。
【請求項２】
少なくとも約70％またはより高い効率で内有毛細胞および外有毛細胞に形質導入する、請求項1記載の内耳有毛細胞ターゲッティング合成アデノ随伴ウイルス（AAV）ベクター。
【請求項３】
請求項1記載の内耳有毛細胞ターゲッティング合成アデノ随伴ウイルス（AAV）ベクターを含む、細胞。
【請求項４】
外有毛細胞または内有毛細胞である、請求項3記載の細胞。
【請求項５】
請求項1記載の内耳有毛細胞ターゲッティング合成アデノ随伴ウイルス（AAV）ベクターを含む、対象におけるアッシャー症候群を治療するための医薬組成物。
【請求項６】
請求項1記載の内耳有毛細胞ターゲッティング合成アデノ随伴ウイルス（AAV）ベクターを含む、欠陥遺伝子の野生型形態をアッシャー症候群の対象に導入するための医薬組成物。
【請求項７】
内耳有毛細胞ターゲッティング合成アデノ随伴ウイルス（AAV）ベクターを含む、対象におけるアッシャー症候群を治療するための医薬組成物であって、該ベクターが、Espinプロモーター、PCDH15プロモーター、PTPRQプロモーター、およびTMHS（LHFPL5）プロモーターからなる群より選択されるプロモーターを含み、該プロモーターが、ミオシン7a、ハーモニン、カドヘリン23、プロトカドヘリン15、SANS、ならびにカルシウムおよびインテグリン結合タンパク質2からなる群より選択されるヒトUSH1ポリペプチドをコードするポリヌクレオチドの発現を誘導する、医薬組成物。
【請求項８】
ヒトポリペプチドが、TMC1、TMC2、ハーモニンa、ハーモニンb、またはハーモニンcである、請求項7記載の医薬組成物。
【請求項９】
投与により聴力喪失が好転する、請求項7記載の医薬組成物。
【請求項１０】
聴力喪失が、部分的な聴力喪失または完全な聴力消失である、請求項9記載の医薬組成物。
【請求項１１】
聴覚機能の回復が、毛束形態の保存および／またはメカノトランスダクションの回復と関連する、請求項9記載の医薬組成物。
【手続補正２】
【補正対象書類名】明細書
【補正対象項目名】００７０
【補正方法】変更
【補正の内容】
【００７０】
別段の定めがない限り、本明細書において使用されるすべての科学技術用語は、方法および物質組成が属する技術分野の当業者によって一般に理解されるものと同じ意味を有する。本明細書に記載されるものと類似または同等である方法および材料を方法および物質組成の実施または試験に使用することもできるが、適当な方法および材料が本明細書に記載される。加えて、材料、方法および例は例示でしかなく、限定的であることを意図したものではない。本明細書において挙げられるすべての刊行物、特許出願、特許および他の参考文献は全体として参照により本明細書に組み入れられる。
[本発明1001]
Anc80に対して少なくとも約85％の配列同一性を有するカプシドをコードし、かつ
Espinプロモーター、PCDH15プロモーター、PTPRQプロモーター、およびTMHS（LHFPL5）プロモーターからなる群より選択される、ハーモニンa、ハーモニンb、またはハーモニンcポリペプチドの発現を誘導するプロモーターを含む、
内耳有毛細胞ターゲッティング合成アデノ随伴ウイルス（AAV）ベクター。
[本発明1002]
少なくとも約70％またはより高い効率で内有毛細胞および外有毛細胞に形質導入する、本発明1001の内耳有毛細胞ターゲッティング合成アデノ随伴ウイルス（AAV）ベクター。
[本発明1003]
本発明1001の内耳有毛細胞ターゲッティング合成アデノ随伴ウイルス（AAV）ベクターを含む、細胞。
[本発明1004]
外有毛細胞または内有毛細胞である、本発明1003の細胞。
[本発明1005]
対象の細胞を、本発明1001の内耳有毛細胞ターゲッティング合成アデノ随伴ウイルス（AAV）ベクターと接触させる段階を含む、対象におけるアッシャー症候群を治療する方法。
[本発明1006]
対象の細胞を、本発明1001の内耳有毛細胞ターゲッティング合成アデノ随伴ウイルス（AAV）ベクターと接触させる段階を含む、欠陥遺伝子の野生型形態をアッシャー症候群の対象に導入する方法。
[本発明1007]
対象の細胞を内耳有毛細胞ターゲッティング合成アデノ随伴ウイルス（AAV）ベクターと接触させる段階を含み、該ベクターが、Espinプロモーター、PCDH15プロモーター、PTPRQプロモーター、およびTMHS（LHFPL5）プロモーターからなる群より選択されるプロモーターを含み、該プロモーターが、ミオシン7a、ハーモニン、カドヘリン23、プロトカドヘリン15、SANS、ならびにカルシウムおよびインテグリン結合タンパク質2からなる群より選択されるヒトUSH1ポリペプチドをコードするポリヌクレオチドの発現を誘導する、対象におけるアッシャー症候群を治療する方法。
[本発明1008]
ヒトポリペプチドが、TMC1、TMC2、ハーモニンa、ハーモニンb、またはハーモニンcである、本発明1007の方法。
[本発明1009]
投与が聴力喪失を好転させる、本発明1007の方法。
[本発明1010]
聴力喪失が、部分的な聴力喪失または完全な聴力消失である、本発明1009の方法。
[本発明1011]
聴覚機能の回復が、毛束形態の保存および／またはメカノトランスダクションの回復と関連する、本発明1009の方法。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
その必要がある対象においてタンパク質をコードするRNA配列中に点突然変異を含むタンパク質の発現を回復する方法であって、点突然変異を含むコドンを認識するアンチコドン配列を有する1つ以上のtRNAをコードするベクターを対象に投与することを含み、任意的には点突然変異が未成熟終止コドンを生じる、上記方法。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
対象の皮膚から生体物質を収集するための非侵襲的な方法のための、粘着テープを含むキットであって、前記方法は、
（ａ）標的皮膚部位からの生体物質の第１のセットが粘着テープの第１のセットに接着できるように、対象の前記標的皮膚部位を前記粘着テープの前記第１のセットの各々と順々に接触させることと、
（ｂ）（ａ）の後に、標的皮膚部位からの生体物質の第２のセットが粘着テープの第２のセットに接着できるように、前記対象の同じ標的皮膚部位を前記粘着テープの前記第２のセットの各々と順々に接触させることと、を含み、
前記第１のセットおよび前記第２のセットの前記粘着テープの各々が、基材へ結合した水溶性接着層を含む、非侵襲的方法である、キット。
【請求項２】
（ｃ）（ｂ）の後に、標的皮膚部位からの生体物質の第３のセットが粘着テープの第３のセットに接着できるように、前記対象の同じ標的皮膚部位を前記粘着テープの前記第３のセットの各々と順々に接触させることをさらに含み、前記第３のセットの前記粘着テープの各々が、基材へ結合した水溶性接着層を含む、請求項１に記載のキット。
【請求項３】
前記粘着テープの前記第１のセット、前記粘着テープの前記第２のセット、および／または前記粘着テープの前記第３のセットが、２〜５個のテープを各々含む、請求項１または２に記載のキット。
【請求項４】
前記基材が水溶性基材である、請求項１〜３のいずれか１項に記載のキット。
【請求項５】
前記水溶性基材がセルロースを含む、請求項４に記載のキット。
【請求項６】
前記水溶性接着層が水溶性ポリマーを含む、請求項１〜５のいずれか１項に記載のキット。
【請求項７】
前記水溶性ポリマーが水溶性アクリルポリマーを含む、請求項６に記載のキット。
【請求項８】
前記第１のセット、前記第２のセット、および前記第３のセットの前記粘着テープが同じテープである、請求項１〜７のいずれか１項に記載のキット。
【請求項９】
前記対象が、アトピー性皮膚炎に罹患しているヒト対象である、請求項１〜８のいずれか１項に記載のキット。
【請求項１０】
前記対象が未成年または成人である、請求項９に記載のキット。
【請求項１１】
前記標的部位が病変部位である、請求項１〜１０のいずれか１項に記載のキット。
【請求項１２】
前記標的部位が非病変部位である、請求項１〜１０のいずれか１項に記載のキット。
【請求項１３】
前記生体物質の前記第１のセットが、前記対象の角質層からの生体物質を含む、請求項１〜１２のいずれか１項に記載のキット。
【請求項１４】
前記生体物質の前記第１のセットにおける微生物生体物質の存在を判定することをさらに含む、請求項１３に記載のキット。
【請求項１５】
前記判定するステップが、細菌、ウイルス、および／または真菌からの生体物質の存在を分析することを含む、請求項１４に記載のキット。
【請求項１６】
前記生体物質が、細胞、ポリペプチド、核酸、脂質、小分子、またはこれらの組み合わせを含む、請求項１５に記載のキット。
【請求項１７】
前記判定するステップが、前記生体物質の前記第１のセットから単離された微生物細胞を培養することを含む、請求項１６に記載のキット。
【請求項１８】
前記判定するステップが、前記生体物質の前記第１のセットからの微生物核酸を増幅させることと、増幅した前記核酸を分析することとを含む、請求項１６に記載のキット。
【請求項１９】
前記生体物質の前記第２のセットおよび／または前記生体物質の前記第３のセットが、前記対象の角質層の下の表皮層からの生体物質を含む、請求項１〜１８のいずれか１項に記載のキット。
【請求項２０】
前記生体物質の前記第２のセットおよび／または前記第３のセットからの宿主生体物質の存在を判定することをさらに含む、請求項１９に記載のキット。
【請求項２１】
前記判定するステップが、ケラチノサイトからの生体物質の存在を分析することを含む、請求項２０に記載のキット。
【請求項２２】
前記生体物質が、細胞、ポリペプチド、核酸、脂質、小分子、またはこれらの組み合わせを含む、請求項２０または請求項２１に記載のキット。
【請求項２３】
前記判定するステップが、前記生体物質の前記第２のセットおよび／または第３のセットにおける宿主核酸を増幅させることと、増幅した前記核酸を分析することとを含む、請求項２０〜２２のいずれか１項に記載のキット。
【請求項２４】
前記生体物質の前記第１のセット、第２のセット、および／または第３のセットからの脂質を分析することをさらに含む、請求項１〜２３のいずれか１項に記載のキット。
【請求項２５】
前記接触させるステップ（ｂ）が、前記接触させるステップ（ａ）の直後に実施される、請求項１に記載のキット。
【請求項２６】
前記接触させるステップ（ｃ）が前記接触させるステップ（ｂ）の直後に実施される、請求項２に記載のキット。
【請求項２７】
対象の標的皮膚部位の生体物質特性を判定するための方法であって、
（ａ１）対象の標的皮膚部位からの生体物質の第１のセットを含む、粘着テープの第１のセットを提供することと、
（ａ２）前記生体物質の前記第１のセットのからの少なくとも１種類の微生物生体物質の存在を分析することと、
（ｂ１）前記対象の前記標的皮膚部位からの生体物質の第２のセットを含む、粘着テープの第２のセットを提供することであって、前記生体物質の前記第２のセットが、前記生体物質の前記第１のセットの収集後に収集される、提供することと、
（ｂ２）前記生体物質の前記第２のセットからの少なくとも１種類の宿主生体物質の存在を分析することと、を含み、
前記第１のセットおよび前記第２のセットの前記粘着テープの各々が、基材へ結合した水溶性接着層を含む、方法。
【請求項２８】
（ｃ１）前記対象の前記標的皮膚部位からの前記生体物質の第３のセットを含む、前記粘着テープの第３のセットを提供することであって、前記生体物質の前記第３のセットが、前記生体物質の前記第２のセットの収集後に収集される、提供することと、
（ｃ２）前記生体物質の前記第３のセットからの少なくとも１種類の宿主生体物質の存在を分析することであって、前記第３のセットの前記粘着テープの各々が、基材へ結合した水溶性接着層を含む、分析することと、をさらに含む、請求項２７に記載の方法。
【請求項２９】
対象の皮膚容態を評価するためのキットであって、
（ａ）水溶性テープへ接着した生体物質を抽出するための１種類以上の試薬と、
（ｂ）微生物生体物質および／または宿主生体物質の存在を判定するための１種類以上の検出薬と、を含む、キット。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
ローカルユーザによる制御のためのローカルユーザ制御デバイスと結合可能な超音波スキャンデバイスであって、超音波エネルギーを制御可能に伝送する超音波プローブ、超音波画像プロセッサ及びネットワーク接続経由で前記超音波スキャンデバイスに接続された遠隔地に画像データを送信し、前記遠隔地から制御信号を受信する通信ユニットを含む前記超音波スキャンデバイスと、
前記遠隔地にあり、前記超音波スキャンデバイスから受信した前記画像データを表示する超音波画像ディスプレイと、
を含む、スキャン手順の遠隔制御のための超音波撮像システムであって、
前記超音波スキャンデバイスは、前記ローカルユーザの操作下にある間、前記超音波プローブによる超音波エネルギーの伝送を有効化又は無効化する、イネーブルコマンド信号又はディスエーブルコマンド信号を含む、前記遠隔地から開始される制御信号に応答する、
超音波撮像システム。
【請求項２】
前記超音波スキャンデバイスは更に、前記超音波スキャンデバイスを制御するための前記遠隔地から送信されるコマンドに応答する、請求項１に記載の超音波撮像システム。
【請求項３】
前記超音波スキャンデバイスは更に、前記超音波スキャンデバイスによる超音波エネルギーの伝送を可能にするための前記遠隔地から送信されるデジタルイネーブルコマンドに応答する、請求項２に記載の超音波撮像システム。
【請求項４】
前記超音波スキャンデバイスは更に、前記遠隔地から送信されるデジタルコマンドに応答し、受信したデジタルコマンドの同一性を決定するコマンドデコーダを含む、請求項３に記載の超音波撮像システム。
【請求項５】
前記超音波スキャンデバイスは更に、前記超音波スキャンデバイスが瞬間的なスキャン手順のための超音波エネルギーを伝送することができるための前記遠隔地から送信される口頭コマンドに応答する、請求項２に記載の超音波撮像システム。
【請求項６】
前記超音波スキャンデバイスは更に、前記超音波プローブに結合される伝送コントローラであって、前記超音波プローブによる超音波エネルギーの伝送を可能にするための前記遠隔地から開始されるイネーブル信号の受信に応答する当該伝送コントローラを含む、請求項１に記載の超音波撮像システム。
【請求項７】
前記超音波プローブは更に、前記伝送コントローラの制御下で超音波エネルギーを伝送するトランスデューサアレイを含む、請求項６に記載の超音波撮像システム。
【請求項８】
前記超音波スキャンデバイスは更に、前記遠隔地に画像を送信し、前記遠隔地から制御コマンドを受信するモデム／Ｗｉ−Ｆｉ通信器を含む、請求項１に記載の超音波撮像システム。
【請求項９】
前記超音波スキャンデバイスは更に、前記遠隔地に画像を送信し、前記遠隔地から制御コマンドを受信するセルラーネットワーク回路を含む、請求項１に記載の超音波撮像システム。
【請求項１０】
前記超音波スキャンデバイスは更に、前記遠隔地とビデオ通信する、請求項１に記載の超音波撮像システム。
【請求項１１】
前記超音波スキャンデバイスは更に、スマートフォンカメラ又はウェブカメラを含む、請求項１０に記載の超音波撮像システム。
【請求項１２】
前記超音波スキャンデバイスは更に、前記遠隔地とオーディオ通信する、請求項１に記載の超音波撮像システム。
【請求項１３】
前記超音波スキャンデバイスは更に、スピーカ及びマイクロホンを含む、請求項１２に記載の超音波撮像システム。
【請求項１４】
前記超音波スキャンデバイスは更に、前記遠隔地から有効化又は無効化される超音波画像取得プログラムを含む、請求項１に記載の超音波撮像システム。
【請求項１５】
前記超音波プローブは更に、アレイトランスデューサ及び前記アレイトランスデューサに選択的に結合される高電圧源を含み、
前記高電圧源は、前記遠隔地からの制御下で、前記アレイトランスデューサに選択的に結合される、請求項１に記載の超音波撮像システム。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
対象者の呼気終末陽圧（ＰＥＥＰ）を制御する機械的人工換気システムであって、前記機械的人工換気システムは、
前記対象者の気道に送達させるための呼吸可能なガスの加圧流を発生させる圧力発生器と、
前記対象者の呼吸に関連している情報を伝達する出力信号を生成する１つ又は複数のセンサであって、前記対象者の前記呼吸に関連している前記情報は、前記呼吸可能なガスの加圧流の流量、及び前記対象者の口腔における呼吸可能なガスの圧力を含む、１つ又は複数のセンサと、
前記圧力発生器及び前記１つ又は複数のセンサに動作可能に結合される１つ又は複数のハードウェアプロセッサとを備え、
前記１つ又は複数のハードウェアプロセッサは、機械可読命令によって、
前記出力信号における前記情報に基づいて前記対象者の１回換気量及び肺圧差を決定することであって、前記出力信号における前記情報に基づいて前記対象者の前記肺圧差を決定することは、
前記流量及び前記圧力に基づいて気道抵抗及び弾性を決定することと、
前記気道抵抗及び前記弾性に基づいて前記対象者における肺胞内圧及び筋圧を決定することと、
前記肺胞内圧及び前記筋圧に基づいて前記肺圧差を決定することと、を含む、前記対象者の１回換気量及び肺圧差を決定すること、
肺気量及び前記肺圧差に基づいて目標ＰＥＥＰレベルを決定することであって、前記肺気量は前記１回換気量に基づいて決定される、目標ＰＥＥＰレベルを決定すること、並びに、
前記圧力発生器に、決定された前記目標ＰＥＥＰレベルを維持するために前記呼吸可能なガスの加圧流を調節させることを行う、機械的人工換気システム。
【請求項２】
前記１つ又は複数のハードウェアプロセッサにおいて、前記肺気量及び前記肺圧差に基づいて前記目標ＰＥＥＰレベルを前記決定することは、
前記出力信号における前記情報に基づいて肺気量対肺圧差曲線を決定することと、
前記肺気量対肺圧差曲線における１つ又は複数の変曲点を特定することと、
前記１つ又は複数の変曲点に基づいて前記目標ＰＥＥＰレベルを決定することと、を含む、請求項１に記載の機械的人工換気システム。
【請求項３】
前記１つ又は複数のハードウェアプロセッサにおいて、前記肺気量及び前記肺圧差に基づいて前記目標ＰＥＥＰレベルを前記決定することは、
前記肺気量対肺圧差曲線における下に凹の変曲点を特定することと、
前記圧力発生器に、上に凹の変曲点が特定されるまで一連の後続の呼吸における個々の呼吸に対して前記対象者における治療ＰＥＥＰレベルを減少させるために前記呼吸可能なガスの加圧流を調節させることと、
前記圧力発生器に、前記下に凹の変曲点と前記上に凹の変曲点との間の、前記下に凹の変曲点により近いレベルに少なくとも１つのさらなる呼吸に対する治療ＰＥＥＰレベルを増大させるために前記呼吸可能なガスの加圧流を調節させることと、
前記目標ＰＥＥＰレベルを、前記対象者における開放した気道を維持するための少なくとも１つの第２のさらなる呼吸に対して、前記下に凹の変曲点に対応する圧力と前記上に凹の変曲点に対応する圧力との間で、前記上に凹の変曲点に近いレベルに設定することと、をさらに含む、請求項２に記載の機械的人工換気システム。
【請求項４】
前記１つ又は複数のハードウェアプロセッサにおいて、前記肺気量及び前記肺圧差に基づいて前記目標ＰＥＥＰレベルを前記決定することは、
前記肺気量対肺圧差曲線における上に凹の変曲点を特定することと、
前記圧力発生器に、前記上に凹の変曲点が最新の呼吸に対応する前記肺気量対肺圧差曲線の一部分においてもはや特定されなくなるまで、一連の後続の呼吸における個々の呼吸に対して前記対象者における治療ＰＥＥＰレベルを増大させるために前記呼吸可能なガスの加圧流を調節させることと、をさらに含む、請求項２に記載の機械的人工換気システム。
【請求項５】
前記１つ又は複数のハードウェアプロセッサは、さらに、
前記肺気量対肺圧差曲線において上に凹の変曲点及び下に凹の変曲点を特定し、且つ、
一定のＰＥＥＰレベルにおける経時的なコンプライアンス低減であって、前記出力信号における前記情報に基づいて決定される、経時的なコンプライアンス低減に応答して、及び／又は前記変曲点の位置の変更に応答して、リクルートメント手技を自動的に提案する、請求項２に記載の機械的人工換気システム。
【請求項６】
前記１つ又は複数のセンサは、前記呼吸可能なガスの加圧流の流量に関連している情報を伝達する出力信号を生成する流量センサ、及び、前記対象者の口腔における呼吸可能なガスの圧力に関連している情報を伝達する圧力センサを備える、請求項１に記載の機械的人工換気システム。
【請求項７】
前記１つ又は複数のハードウェアプロセッサは、肺圧差の代わりに経壁圧を決定し、且つ、前記肺気量及び前記経壁圧に基づいて前記目標ＰＥＥＰレベルを決定する、請求項１に記載の機械的人工換気システム。
【誤訳訂正書】
【提出日】令和2年11月26日(2020.11.26)
【誤訳訂正１】
【訂正対象書類名】特許請求の範囲
【訂正対象項目名】全文
【訂正方法】変更
【訂正の内容】
【特許請求の範囲】
【請求項１】
リサーフェシングプロテーゼを位置決めするための装置であって、
リサーフェシングプロテーゼの本体（２）のための把持および操作器具（３）と、
前記把持および操作器具（３）と前記リサーフェシングプロテーゼの前記本体との間に配置された、それらを接続するのに適した接続体（４）と、
前記接続体（４）を前記本体（２）に固定するのに適した結合手段（５）であって、前記接続体（４）に設けられた対応するそれぞれの貫通孔（７）に各々が取り外し不能に連結されるように構成され且つ前記本体（２）のリップ（８）から軸方向に突出する複数の連結ピン（６）を備える結合手段（５）と、
前記リサーフェシングプロテーゼの前記本体（２）と前記接続体（４）との間に配置された、前記接続体（４）を前記本体（２）から分離させるよう構成された剪断解放手段（１１）と、を備え、
前記解放手段（１１）は前記複数の連結ピン（６）に直接作用し、前記解放手段（１１）は、前記複数の連結ピン（６）をそれぞれの基部（６ｅ）で切断することによって、前記複数の連結ピン（６）を前記プロテーゼの前記本体（２）から分離し、これにより、切断後に、前記本体（２）は完全に滑らかで水平なリップ（８）を持つ、装置。
【請求項２】
前記解放手段（１１）が、前記把持および操作器具（３）またはその一部が回転させた場合に作動される複数のブレード（１２）を備える、請求項１に記載の装置。
【請求項３】
前記解放手段（１１）が、前記接続体（４）の対称軸に対して互いに直径方向に対向して配置された限られた数の連結ピン（６）に連続的かつ選択的に作用し、取り外しステップの間において前記本体（２）と前記接続体（４）との間の安定した連続的な支持を保証し、前記接続体（４）に加えられる必要なモーメントを減少させる、請求項１または２に記載の装置。
【請求項４】
前記解放手段（１１）が、その数が前記連結ピン（６）の数と等しい複数のスロット（１４）を備えた環状体（１３）を備え、前記複数のスロット（１４）のそれぞれがブレード（１２）を備え、それぞれの前記スロット（１４）は大きさにおいて異なるが、直径方向に対向する同じ大きさの対を有し、前記複数の連結ピン（６）の切断は同時ではなく、所定の順序に従って連続して行われる、請求項１から３のいずれか１項に記載の装置。
【請求項５】
前記複数の連結ピン（６）が、それらの軸方向長さに沿って直径において変化し、前記接続体（４）において前記対応するそれぞれの貫通孔（７）の縁部（１０）に当接するのに適したアンダーカット（９）を有する、請求項１から４のいずれか１項に記載の装置。
【請求項６】
前記複数の連結ピン（６）が、円筒形シャンク（６ａ）と、その直径が前記円筒形シャンク（６ａ）の直径よりも大きいより大きい基部（６ｃ）および結合を容易にするために前記対応するそれぞれの貫通孔（７）に挿入するステップの間にそれらの変形を可能にする軸方向スロット（６ｄ）とを有する円錐形ヘッド（６ｂ）を備える、請求項５に記載の装置。
【請求項７】
リサーフェシングプロテーゼを位置決めするための請求項１から６のいずれか１項に記載の装置を組み立てる方法であって、把持および操作器具（３）を接続体（４）に接続し、リサーフェシングプロテーゼの本体（２）を軸方向に前記接続体（４）に位置合わせするステップを含み、これにより、前記本体（２）のリップ（８）から突き出る複数の連結ピン（６）が、前記接続体（４）に設けられた対応するそれぞれの貫通孔（７）と位置合わせされ、前記把持および操作器具（３）に作用して前記本体（２）を前記接続体（４）に取り外し不能に固定するように前記複数の連結ピン（６）を前記それぞれの貫通孔（７）に挿入することを可能にし、前記リサーフェシングプロテーゼの前記本体（２）と前記接続体（４）との間に配置された解放手段を作動し、各ピン（６）を切断し、前記接続体（４）を前記本体（２）から解放する、方法。
【請求項８】
それぞれの基部において各連結ピン（６）を切断するのに適した複数のブレードを備える解放手段を作動させるように前記把持および操作器具（３）を操作するステップを含み、その結果、前記プロテーゼの前記本体（２）の前記リップ（８）は滑らかに保たれ突起を有しない、請求項７に記載の方法。
【請求項９】
一度に限られた数の連結ピン（６）を連続的かつ選択的に切断するステップを含む、請求項８に記載の方法。
【誤訳訂正２】
【訂正対象書類名】明細書
【訂正対象項目名】００４９
【訂正方法】変更
【訂正の内容】
【００４９】
具体的には、図５および図６から分かるように、これらの解放手段１１は複数のスロット１４を備えた環状体１３を含み、そのスロットの数は連結接合要素６の数に等しく、各スロット１４は対応するそれぞれのブレード１２を備える。スロット１４の直径方向に対向する対は異なる幅を有するので、全ての接合要素６の切断は同時ではなく、所定の順序に従って連続して、好ましくは直径方向に対向するピンの対で行われる。この選択的で制御されかつ予め確立された相互作用は、位置決め装置１をプロテーゼから解放するステップを通して、リサーフェシングプロテーゼの本体２上の接続体４に対する安定した連続的な支持を保証し、把持および操作器具３に加えられる必要なモーメントを減少させ切断を達成する。
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
卵胞の数及びサイズを決定するためにコンピュータで実施される方法であって、前記方法は、
２Ｄ（２次元）経膣超音波走査像の対を受信するステップであって、各走査像が、前記走査像を取得するために使用される超音波プローブの並進方向に沿って取得された複数の２Ｄ超音波画像を有し、前記走査像の各々に関して、それぞれの前記並進方向が少なくともほぼ直交している、受信するステップを有し、前記方法は、
前記２Ｄ経膣超音波走査像の前記複数の２Ｄ超音波画像において候補卵胞を検出するステップと、
各候補卵胞に関する平均直径を決定するために検出された前記候補卵胞を分割するステップと、
最大平均直径を有する候補卵胞を含む２Ｄ経膣超音波走査像を選択するステップと、
選択された前記２Ｄ経膣超音波走査像の検出された前記候補卵胞の決定された前記平均直径及び分割部分を提示するステップと
をさらに有する、コンピュータで実施される方法。
【請求項２】
前記複数の２Ｄ超音波画像において前記候補卵胞を検出するステップが、
前記複数の２Ｄ超音波画像から容積画像を概算するステップと、
概算された前記容積画像内の卵巣を検出するステップと、
検出された前記卵巣内の考えられる候補卵胞を検出するステップと
を有する、請求項１に記載のコンピュータで実施される方法。
【請求項３】
検出された前記卵巣内の前記候補卵胞を検出するステップが、
各候補卵胞の容積を決定するステップと、
後続の前記分割のために定義された容積しきい値未満の決定された容積を有する候補卵胞を排除するステップと
をさらに有する、請求項２に記載のコンピュータで実施される方法。
【請求項４】
前記走査像の各々に関して検出された卵胞の決定された前記平均直径に基づいて前記検出された卵胞のリストを作成するステップをさらに有し、
前記最大平均直径を有する卵胞を含む２Ｄ経膣超音波走査像を選択するステップが、前記リストに基づいており、
選択された前記２Ｄ経膣超音波走査像の前記検出された卵胞の決定された前記平均直径及び前記分割部分を提示するステップが、選択された前記２Ｄ経膣超音波走査像の前記検出された卵胞の前記リストを提示するステップを有する、
請求項１から３のいずれか一項に記載のコンピュータで実施される方法。
【請求項５】
前記複数の２Ｄ超音波画像において前記候補卵胞を検出するステップが、さらなる処理のために前記検出された候補卵胞にラベルを付けるステップをさらに有する、請求項１から４のいずれか一項に記載のコンピュータで実施される方法。
【請求項６】
検出された卵巣内の各候補卵胞に関する平均直径を決定するために前記検出された候補卵胞を分割するステップが、
前記複数の２Ｄ超音波画像内の各候補卵胞のシード点を定義するステップと、
各シード点に関して、前記シード点に関連する前記候補卵胞を分割するために前記複数の２Ｄ超音波画像に適応領域成長アルゴリズムを適用するステップと
をさらに有する、請求項１から５のいずれか一項に記載のコンピュータで実施される方法。
【請求項７】
ユーザ定義された追加のシード点を受信し、前記ユーザ定義された追加のシード点に関連する前記候補卵胞を分割するために前記複数の２Ｄ超音波画像に前記適応領域成長アルゴリズムを適用するステップ、及び／又は
ユーザ識別された既存のシード点を受信し、定義された前記シード点から前記ユーザ識別された既存のシード点を削除するステップ
をさらに有する、請求項６に記載のコンピュータで実施される方法。
【請求項８】
適応領域成長アルゴリズムによって取得されたピクセル領域のフォームファクタを決定するステップと、
前記フォームファクタが、定義されたフォームファクタしきい値未満である場合、前記候補卵胞を排除するステップと
をさらに有する、請求項５から７のいずれか一項に記載のコンピュータで実施される方法。
【請求項９】
重複する分割された候補卵胞間の重複領域を決定するステップと、
前記重複領域が、定義された重複しきい値を超える場合、より小さい平均直径を有する前記重複する分割された候補卵胞を削除するステップと
をさらに有する、請求項５から８のいずれか一項に記載のコンピュータで実施される方法。
【請求項１０】
前記各候補卵胞の平均直径を決定することが、
前記卵胞の一部分を含む各２Ｄ超音波画像内の卵胞部分の平均直径を決定することと、
前記卵胞部分の最大平均直径を有する２Ｄ超音波画像を選択することと、
前記卵胞の前記平均直径として前記最大平均直径を選択することと
を有する、請求項１から９のいずれか一項に記載のコンピュータで実施される方法。
【請求項１１】
前記２Ｄ（２次元）経膣超音波走査像の各々の検出された卵巣における卵巣の回転及び切り捨ての少なくとも１つを決定するステップ
をさらに有する、請求項１から１０のいずれか一項に記載のコンピュータで実施される方法。
【請求項１２】
超音波画像処理装置のプロセッサ構成部で実行されるとき、前記プロセッサ構成部に、請求項１から１１のいずれか一項に記載の方法を実施させる、具現化されたコンピュータ可読プログラム命令を有する、コンピュータプログラム。
【請求項１３】
請求項１から１１のいずれか一項に記載の方法を実施するプロセッサ構成部を備える超音波画像処理装置であって、
前記超音波画像処理装置が、請求項１２に記載のコンピュータプログラムをさらに備え、前記プロセッサ構成部が、前記コンピュータプログラムによって具現化された前記コンピュータ可読プログラム命令を実行する、
超音波画像処理装置。
【請求項１４】
請求項１３に記載の超音波画像処理装置と、経膣超音波走査像の前記対を前記超音波画像処理装置に提供する超音波プローブとを備える、超音波画像診断システム。
【手続補正２】
【補正対象書類名】明細書
【補正対象項目名】００７６
【補正方法】変更
【補正の内容】
【００７６】
プロセッサ構成部上での実行によって本発明の方法を実行するためのコンピュータプログラムコードは、Ｊａｖａ（登録商標）、Ｓｍａｌｌｔａｌｋ（登録商標）、Ｃ＋＋などのオブジェクト指向プログラミング言語、及び、「Ｃ」プログラミング言語、又は同様のプログラミング言語などの従来の手続き型プログラミング言語を含む、１つ若しくは複数のプログラミング言語の任意の組合せで書き込まれる。プログラムコードは、アプリなどの独立型ソフトウェアパッケージとしてプロセッサ構成部上で完全に実行されるか、又は、一部はプロセッサ構成部上で、一部はリモートサーバ上で実行される。後者のシナリオでは、リモートサーバが、ローカルエリアネットワーク（ＬＡＮ）若しくはワイドエリアネットワーク（ＷＡＮ）を含む任意のタイプのネットワークを通して超音波画像処理装置１０に接続されるか、又は、たとえば、インターネットサービスプロバイダを使用してインターネットを通して外部のコンピュータへの接続が行われる。
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
液体容器に取り付けられて配置された液体アプリケーターであって、該液体アプリケーターは第１端部と第２端部とを含む焼結多孔質エラストマー材料体を含み、前記第１端部は比較的可撓性のある領域を含み、前記第２端部は比較的剛性のある領域を含み、該アプリケーターは、液体を表面に塗布するために利用できるよう、第１端部を通って液体容器から液体を移動させるよう配置されている、液体アプリケーター。
【請求項２】
前記焼結多孔質エラストマー材料体が前記第１端部にフロック繊維を有する、請求項１に記載の液体アプリケーター。
【請求項３】
前記焼結多孔質エラストマー材料体の前記比較的剛性のある端部が中空である、請求項１に記載の液体アプリケーター。
【請求項４】
前記焼結多孔質エラストマー材料体の前記比較的剛性のある端部がハウジングへの結合用である、請求項１に記載の液体アプリケーター。
【請求項５】
前記焼結多孔質エラストマー材料体の前記比較的可撓性のある端部が表面接触用である、請求項１に記載の液体アプリケーター。
【請求項６】
前記焼結多孔質エラストマー材料体が、水素化スチレン系ブロック共重合体、コポリエステル系エラストマー、スチレン−ブタジエン−スチレンブロック共重合体、エチレン−オクテン共重合体、熱可塑性ポリウレタン、シリコーン系エラストマー、エチレン酢酸ビニル系エラストマーおよびポリプロピレン系エラストマーから成る群から選択されるエラストマーを含む、請求項１に記載の液体アプリケーター。
【請求項７】
前記焼結多孔質エラストマー材料体が、エチレン酢酸ビニル（ＥＶＡ）、ポリプロピレン（ＰＰ）、およびポリエチレン（ＰＥ）、例えば高密度ポリエチレン（ＨＤＰＥ）、低密度ポリエチレン（ＬＤＰＥ）または超高分子量ポリエチレン（ＵＨＭＷＰＥ）から成る群から選択されるプラスチックを含む、請求項１に記載の液体アプリケーター。
【請求項８】
前記焼結多孔質エラストマー材料体が焼結多孔質熱可塑性ポリウレタンエラストマー材料を含む、請求項１に記載の液体アプリケーター。
【請求項９】
前記熱可塑性ポリウレタンエラストマー材料が芳香族、ポリエーテル系熱可塑性ポリウレタンである、請求項８に記載の液体アプリケーター。
【請求項１０】
前記フロック繊維が、ナイロン繊維、ポリエチレン繊維、ポリプロピレン繊維、綿繊維、レーヨン繊維、ポリエステル繊維およびポリアクリル繊維から成る群から選択される、請求項２に記載の液体アプリケーター。
【請求項１１】
前記焼結多孔質エラストマー材料体の前記比較的可撓性のある端部が、１つ以上のエラストマーから作られる、請求項１に記載の液体アプリケーター。
【請求項１２】
閉鎖端部と開口端部とを有するハウジング、
該ハウジング内の液体リザーバー、および
先行する請求項のいずれかに記載の液体アプリケーター
を含む液体またはゲルを表面に塗布するための装置であって、
前記第２端部が該流体リザーバー内に位置し、前記第１端部が該ハウジングの開口端部にまたは近傍に位置する装置。
【請求項１３】
前記液体又は前記ゲルが、化粧品又は医薬品である、請求項１２に記載の装置。
【請求項１４】
請求項１２又は１３のいずれかに記載の装置を提供するステップと、
前記液体アプリケーターの前記第２端部を表面に適用するステップと、
前記ハウジングを圧縮するステップと、
前記液体アプリケーターの前記第１端部からの液体またはゲルを前記表面に塗布するステップと、
を含む液体またはゲルを表面に塗布する方法。
【請求項１５】
前記表面が皮膚である、請求項１４に記載の方法。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
組織治療を提供するための装置であって、前記装置は、
場を発生させ、生物学的媒体の一部を通して前記場を印加するように構成される場発生器と、
前記場発生器にＤＣを提供するように構成される直流（ＤＣ）電力供給源と、
前記場の印加の間に前記生物学的媒体の前記一部にレーザ光を送達するように構成される光源と
を備え、
前記装置は、前記レーザ光の送達に先立つ前記場の印加および／または前記レーザ光の送達の間の前記場の印加が、前記レーザ光の経路から離れるように前記一部の中で自由電子を移動させるように、構成される、装置。
【請求項２】
前記場は、本質的に静的な場を含み、前記場発生器は、前記本質的に静的な場を前記生物学的媒体に印加し、前記生物学的媒体の前記一部の中での自由電子の移動を誘起するように構成され、
前記生物学的媒体の前記一部への前記レーザ光の送達は、組織顔料粒子の光学破壊を提供する、請求項１に記載の装置。
【請求項３】
前記場発生器は、複数の電極を備え、前記複数の電極は、前記複数の電極を横断して前記場を提供するように構成され、前記場は、電場を含む、請求項１に記載の装置。
【請求項４】
前記場発生器は、磁気コイルを備え、前記場は、磁場を含む、請求項１に記載の装置。
【請求項５】
前記光源は、少なくとも１Ｈｚのパルス繰り返し数および０．５Ｊ／ｃｍ２〜２０Ｊ／ｃｍ２のフルエンスを伴うレーザ光を送達するように構成されるパルスレーザを含み、随意に、前記フルエンスは、３．５Ｊ／ｃｍ２〜９Ｊ／ｃｍ２である、請求項１に記載の装置。
【請求項６】
前記生物学的媒体の表面に接触するように構成されるヘッドデバイスをさらに備え、
前記ヘッドデバイスは、前記場発生器を含み、
前記ヘッドデバイスは、前記光源に物理的に結合される、請求項１に記載の装置。
【請求項７】
前記ヘッドデバイスは、真空ヘッドを備え、前記真空ヘッドは、真空源に接続され、前記生物学的媒体の前記一部に吸引を印加するように構成され、前記真空ヘッドは、前記吸引の印加の間に光が前記生物学的媒体の前記一部に到達することを可能にするように構成される、請求項６に記載の装置。
【請求項８】
静電場を提供するように構成されるエレクトレットをさらに備え、
前記エレクトレットは、前記静電場が生物学的媒体中に電場を誘起するように、前記生物学的媒体に対して位置付けられるようにさらに構成され、
前記誘起された電場は、前記生物学的媒体の一部の中の自由電子に影響を与える、請求項１に記載の装置。
【請求項９】
前記エレクトレットは、透明である、請求項８に記載の装置。
【請求項１０】
レーザビームを前記生物学的媒体の前記一部に送達するように構成される治療用レーザシステムをさらに備え、
前記エレクトレットは、前記エレクトレットを通した前記レーザビームの伝送を可能にするように構成され、
前記治療用レーザシステムは、前記エレクトレットを通して前記レーザビームを伝送することによって、前記レーザビームを前記生物学的媒体の前記一部に送達するようにさらに構成される、請求項８に記載の装置。
【請求項１１】
組織治療を提供するための装置であって、前記装置は、
直流（ＤＣ）電圧源と、
複数の電極であって、前記複数の電極は、前記複数の電極を横断して電場を提供するように構成される、複数の電極と
を備え、
前記ＤＣ電圧源は、前記電極に電気的に接続され、
前記電極のうちの第１のものは、生物学的媒体に接触するように構成される導電性表面を備え、前記電極のうちの第２のものは、前記生物学的媒体に電流を伝導しないように構成され、
前記複数の電極は、自由電子が前記生物学的媒体の一部の中で影響を受けるように、前記電場を前記生物学的媒体の前記一部に印加するように構成される、装置。
【請求項１２】
真空源に接続されるように構成される真空ヘッドをさらに備え、
前記複数の電極の一部は、前記真空ヘッド内に含有され、
前記真空ヘッドは、吸引を前記生物学的媒体の前記一部に印加するように構成され、
前記真空ヘッドは、吸引が印加されると、光が前記生物学的媒体の前記一部に到達することを可能にするように構成される、請求項１１に記載の装置。
【請求項１３】
前記真空ヘッドは、使い捨てである、請求項１２に記載の装置。
【請求項１４】
前記真空ヘッドは、窓を備え、前記窓を通して光が前記生物学的媒体の前記一部に到達することが可能である、請求項１２に記載の装置。
【請求項１５】
レーザビームを窓を通して前記生物学的媒体の前記一部に送達するように構成される治療用レーザシステムをさらに備え、
前記レーザビームは、軸を有し、
前記生物学的媒体の前記一部に印加される前記電場は、吸引が前記真空ヘッドによって前記生物学的媒体の前記一部に印加されるとき、前記レーザビームの前記軸に垂直である、請求項１４に記載の装置。
【請求項１６】
磁気コイルをさらに備え、
前記ＤＣ電圧源は、ＤＣ電力を前記磁気コイルに提供するようにさらに構成され、
前記磁気コイルは、そのように給電されると、前記生物学的媒体の前記一部の中で磁場を誘起するように構成される、請求項１１に記載の装置。
【請求項１７】
前記装置は、レーザ光の送達に先立つ前記場の印加および／または前記レーザ光の送達の間の前記場の印加が、前記レーザ光の経路から離れるように前記生物学的媒体の前記一部の中で自由電子を移動させるように、構成される、請求項１１に記載の装置。
【請求項１８】
前記電場は、負の静的な場を含む、請求項１１に記載の装置。
【請求項１９】
入墨除去の非外科的システムであって、前記システムは、
電場発生システムを備える場発生器であって、前記電場発生システムは、直流（ＤＣ）電力に基づく作動に応じて、生物学的媒体の一部を通して電場を印加するように構成される、場発生器と、
光源であって、前記光源は、レーザ光を前記生物学的媒体の前記一部に送達するように構成される、光源と
を含む、システム。
【請求項２０】
前記場発生器を作動させることに先立って、前記場発生器は、第１の場所において前記生物学的媒体に隣接して位置付けられるように構成され、
前記レーザ光を送達することに先立って、前記光源は、前記レーザ光を前記一部に送達するために、前記生物学的媒体の前記一部に対して位置付けられるように構成される、請求項１９に記載のシステム。
【請求項２１】
前記生物学的媒体の表面と接触するように設置されるように構成される真空ヘッドをさらに備え、
負圧は、前記生物学的媒体の少なくとも前記一部を安定化させるために、前記真空ヘッドに印加され、前記生物学的媒体の少なくとも前記一部は、前記一部への前記レーザ光の送達の間に安定化される、請求項１９に記載のシステム。
【手続補正書】
【提出日】令和3年3月8日(2021.3.8)
【手続補正１】
【補正対象書類名】特許請求の範囲
【補正対象項目名】請求項１
【補正方法】変更
【補正の内容】
【請求項１】
止血弁と、
カテーテルをベースに解放可能に結合するクランプを有するベースと、
第１の経路に沿って前記止血弁に対して前記ベースを動かすベース駆動部材と、
前記カテーテルが前記第１の経路に沿って動かされている間、前記止血弁に対して長尺の医療デバイスの位置を維持する機構と
を備える、装置。
【手続補正２】
【補正対象書類名】特許請求の範囲
【補正対象項目名】請求項１３
【補正方法】変更
【補正の内容】
【請求項１３】
前記カテーテルは、固定長にわたって中に内腔を有するモノレール部を有するラピッドエクスチェンジデバイスであり、前記長尺の医療デバイスは、前記モノレール部の前記内腔に可動的に受け入れられる、請求項１に記載の装置。
【手続補正３】
【補正対象書類名】特許請求の範囲
【補正対象項目名】請求項１４
【補正方法】変更
【補正の内容】
【請求項１４】
遠位クランプをさらに含み、該遠位クランプは、前記カテーテルのモノレール部の遠位端が該遠位クランプと前記ベースとの間に入ると、前記長尺の医療デバイスの一部を取り外し可能にクランプ留めする、請求項１に記載の装置。
【手続補正４】
【補正対象書類名】特許請求の範囲
【補正対象項目名】請求項１６
【補正方法】変更
【補正の内容】
【請求項１６】
前記長尺の医療デバイスは、前記遠位クランプが前記長尺の医療デバイスをクランプ留めするときに前記機構に対して自由に移動できる、請求項１４に記載の装置。
【手続補正５】
【補正対象書類名】特許請求の範囲
【補正対象項目名】請求項２０
【補正方法】変更
【補正の内容】
【請求項２０】
前記第１のクランプ部材は、前記第１のクランプ部材が前記第２のクランプ部材及び前記止血弁の中間にある第１の位置から、前記第２のクランプ部材が前記第１のクランプ部材及び前記止血弁の中間にある第２の位置に移動する、請求項１９に記載の装置。
【手続補正６】
【補正対象書類名】特許請求の範囲
【補正対象項目名】請求項２２
【補正方法】変更
【補正の内容】
【請求項２２】
前記カテーテルは、前記カテーテルの近位端から遠位端に延びる内腔を有するオーバーザワイヤデバイスであり、前記長尺の医療デバイスが当該内腔の中に可動的に受け入れられる、請求項１に記載の装置。
【手続補正７】
【補正対象書類名】特許請求の範囲
【補正対象項目名】請求項３３
【補正方法】変更
【補正の内容】
【請求項３３】
前記撮像システムからの情報を使用して命令を提供し、コントローラを介して、前記駆動部及びカテーテル位置決め器を位置付けて前記長尺の医療デバイスの近位先端を前記カテーテル内腔の前記遠位端の開口部と位置合わせする、制御システムをさらに含む、請求項３２に記載の装置。
【手続補正８】
【補正対象書類名】特許請求の範囲
【補正対象項目名】請求項３７
【補正方法】変更
【補正の内容】
【請求項３７】
止血弁と、
装填器であって、
カテーテル内腔を有するカテーテルの遠位端を位置付けるカテーテル支持部、及び
第２のカテーテルに対して長尺の医療デバイスを移動させて前記カテーテル内腔の遠位開口部の中に前記長尺の医療デバイスの近位端を挿入する長尺の経皮駆動部
を含む装填器と、
取り外し器であって、
第１のカテーテルをベースに解放可能に結合するクランプを有するベース、
第１の経路に沿って前記止血弁に対して前記ベースを動かすベース駆動部材、及び
前記カテーテルが前記第１の経路に沿って動かされている間、前記止血弁に対して前記長尺の医療デバイスの位置を維持する機構
を含む取り外し器と
を備える、装置。
【手続補正９】
【補正対象書類名】明細書
【補正対象項目名】００３９
【補正方法】変更
【補正の内容】
【００３９】
さらなる実施形態では、制御システムは、撮像システムからの情報を使用して命令を提供し、コントローラを介して、駆動部及びカテーテル位置決め器を位置付けて長尺の医療デバイスの近位先端をカテーテル内腔の遠位端の開口部と位置合わせする。